(57)【特許請求の範囲】
【請求項１】
燃焼手段と、この燃焼手段の熱を直接、全量を高温側面に受熱し、その熱を低温側面から熱交換手段へ伝熱することで冷却され、高温側面と低温側面との温度差に応じた電力を発生する熱電気変換手段と、この熱電気変換素手段の低温側面からのみ受熱し、熱媒に熱交換する熱交換手段と、前記熱電気変換手段の発生電力により駆動して熱媒を前記熱交換手段へ搬送し、熱電気変換手段を介して伝わった燃焼手段の熱を熱媒と熱交換させる熱媒強制循環手段と、一端を前記熱媒強制循環手段に接続し、他端を前記熱交換手段に接続して前記熱交換手段で熱交換した熱媒を循環させて放熱する可搬性に富み、採暖機能を有する放熱手段と、前記熱電気変換素手段の発生電力を蓄電する蓄電手段と、この蓄電手段の蓄電が所定値に達すると放電させ前記熱媒強制循環手段を駆動する蓄放電制御手段とから構成された熱搬送装置。
【請求項２】
前記蓄放電制御手段は前記熱電気変換素手段の発生電力を蓄わえ所定値に達する迄の間は電池の電力を通電させて前記熱媒強制循環手段を駆動し、前記熱電気変換素手段の発生電力を蓄電する蓄電手段の蓄電が所定値に達すると前記電池の電力の通電を停止し、蓄わえた熱電気変換素手段の発生電力を放電させて前記熱媒強制循環手段を駆動するように制御する請求項１記載の熱搬送装置。
【発明の詳細な説明】
【０００１】
【発明の属する技術分野】
本発明は可搬性に富み、採暖機能を有する燃焼熱の熱搬送装置に関するものである。
【０００２】
【従来の技術】
従来、この種の熱搬送装置は、図８に示すように、浴槽本体９の湯を湧かすため、循環水路１０で風呂釜本体１１の熱交換器１２と接続し、循環水路１０には強制循環するためのポンプ１３を設け、さらに加熱されて発電する熱発電素子１４は高温側となる受熱部１５をバーナ１６の燃焼炎に近接させ、その尾端部１７を低温側にして冷却するため、ポンプ１３から循環水路１０とは分岐して設けたバイパス送水路１８に接触させて設けられ、この熱発電素子１４は配線１９でポンプ１３に接続するように構成されていた。
【０００３】
上記構成において、浴槽本体９の湯を湧かす場合はバーナ１６を燃焼させると熱交換器１２で温水に加熱すると同時に、熱発電素子１４の受熱部１５がバーナ１６の燃焼熱で高温側として加熱され、その尾端部１７は分岐して設けたバイパス送水路１８で低温側として冷却されるため、温度差ができ、熱発電素子１４はゼーベック効果により発電する。そして発生電力は配線１９でポンプ１３に供給されてポンプ１３を駆動し、浴槽本体９の湯を循環していた。
【０００４】
【発明が解決しようとする課題】
しかしながら上記のような従来の装置では、熱発電素子１４の発電でポンプ１３を駆動するが、熱発電素子１４の発電効率は高温側と低温側の温度差で決定されるもので、バーナ１６の燃焼による温度と浴槽本体９のお湯の温度では一般的に数パーセント以下と低いものである。そこで浴槽本体９から循環水路１０を経由して熱交換器１２に循環させるポンプ１３の駆動電力を発電するには多量の熱発電素子１４を要するという課題があった。そのうえ、バーナ１６の熱量の大部分は直接、素交換器１２を加熱して浴槽本体９から循環水路１０を経由して熱交換器１２に流入した温水を加熱するため、熱発電素子１４を加熱する熱量は低い割合となり、したがって発生電力はポンプ１３の駆動電力よりも小さいため駆動できないとか、循環水路１０を経由して熱交換器１２への循環流量が不足するという課題を有していた。また、熱発電素子１４はその受熱部１５を高温側にしてバーナ１６に近接させて加熱し尾端部１７を低温側にして冷却するため、位置の制約から循環水路１０に直接固定できず、ポンプ１３からの循環水路１０とは別途分岐して設けたバイパス送水路１８に尾端部１７を固定して冷却しているため、構成が複雑になるという課題を有していた。さらに位置の制約から熱発電素子１４は取り付けれる量が限られ、前述と同様にポンプ１３を駆動するには発生電力が不足するとか、循環水路１０の循環流量が不足するという課題も有していた。
【０００５】
【課題を解決するための手段】
本発明は上記課題を解決するために、燃焼手段と、この燃焼手段の熱を高温側面に受熱して熱起電力を発生する熱電気変換素手段と、燃焼手段から受熱し、熱交換する熱交換手段と、電力で駆動して熱媒を熱交換手段へ搬送し、熱交換させる熱媒強制循環手段と、一端を熱媒強制循環手段に接続し、他端を熱交換手段に接続して熱交換手段で熱交換した熱媒を循環させて放熱する放熱手段と、熱電気変換手段の発生電力を蓄電する蓄電手段と、この蓄電手段の蓄電が所定値に達すると放電させ熱媒強制循環手段を駆動する蓄放電制御手段とから構成したものである。
【０００６】
上記発明によれば、燃焼手段に燃焼させると、この燃焼手段の燃焼熱を熱電気変換手段は高温側面に受熱し高温となる。さらに熱は熱交換手段へ伝熱する。熱電気変換手段は高温側面と低温側面との温度差に応じた電力を発生する。蓄電手段は熱電気変換手段の発生電力を蓄電する。蓄放電制御手段はこの蓄電手段の蓄電が所定値に達すると放電させ熱媒強制循環手段を駆動する。そして熱媒強制循環手段は駆動して熱媒を熱交換手段へ搬送し、伝わった燃焼手段の熱を熱媒と熱交換させる。さらに熱媒は放熱手段に循環し放熱して熱媒強制循環手段に戻り、熱搬送ができる。燃焼手段は放電することで蓄電が徐々に減少し、やがて放電電力が熱媒強制循環手段の駆動電力以下まで低下すると、蓄放電制御手段は放電を停止させて再び、熱電気変換手段の発生電力を蓄電させ、以降この動作を繰り返して運転が行われる。
【０００７】
さらに、蓄電手段が熱電気変換手段の発生電力を蓄電し、蓄放電制御手段がこの蓄電手段の蓄電が所定値に達すると放電させ熱媒強制循環手段を駆動するため、熱媒強制循環手段の駆動電力相当の電力を常時、発電する必要がなく、熱電気変換手段は少量、小型でよい。また、燃焼手段の燃焼熱量が変動し、発生電力が少ない方向に変動しても熱媒強制循環手段を駆動することができる。
【０００８】
【発明の実施の形態】
本発明は燃焼手段と、この燃焼手段の熱を高温側面に受熱して熱起電力を発生する熱電気変換素手段と、前記燃焼手段から受熱し、熱交換する熱交換手段と、電力で駆動して熱媒を前記熱交換手段へ搬送し、熱交換させる熱媒強制循環手段と、一端を前記熱媒強制循環手段に接続し、他端を前記熱交換手段に接続して前記熱交換手段で熱交換した熱媒を循環させて放熱する放熱手段と、前記熱電気変換手段の発生電力を蓄電する蓄電手段と、この蓄電手段の蓄電が所定値に達すると放電させ、熱媒強制循環手段を駆動する蓄放電制御手段とを有するものである。
【０００９】
そして、燃焼手段を燃焼させると、この燃焼手段の燃焼熱を熱電気変換手段は高温側面に受熱し高温になる。さらに熱は熱交換手段へ伝熱する。熱電気変換手段は高温側面と低温側面との温度差に応じた電力を発生する。蓄電手段は熱電気変換手段の発生電力を蓄電する。蓄放電制御手段はこの蓄電手段の蓄電が所定値に達すると放電させ熱媒強制循環手段を駆動する。
【００１０】
そして蓄電手段が熱電気変換手段の発生電力を蓄電し、蓄放電制御手段がこの蓄電手段の蓄電が所定値に達すると放電させ熱媒強制循環手段を駆動するため、熱媒強制循環手段の駆動電力相当の電力を常時、発電する必要がなく、熱電気変換手段は少量、小型でよい。また、燃焼手段の燃焼熱量が変動し、発生電力が少ない方向に変動しても熱媒強制循環手段を駆動することができる。
【００１１】
また、燃焼手段と、この燃焼手段の熱を高温側面に受熱し、その熱を低温側面から熱交換手段へ伝熱することで冷却され、高温側面と低温側面との温度差に応じた電力を発生する熱電気変換手段と、この熱電気変換素手段の低温側面から受熱し、熱媒に熱交換する熱交換手段と、前記熱電気変換手段の発生電力により駆動して熱媒を前記熱交換手段へ搬送し、熱電気変換手段を介して伝わった燃焼手段の熱を熱媒と熱交換させる熱媒強制循環手段と、一端を前記熱媒強制循環手段に接続し、他端を前記熱交換手段に接続して前記熱交換手段で熱交換した熱媒を循環させて放熱する放熱手段と、前記熱電気変換素手段の発生電力を蓄電する蓄電手段と、この蓄電手段の蓄電が所定値に達すると放電させ前記熱媒強制循環手段を駆動する蓄放電制御手段とを有するものである。
【００１２】
そして、燃焼手段を燃焼させると熱電気変換手段が高温側面に受熱し高温になる。さらに熱は熱電気変換手段の高温側面から低温側面へ伝わり、熱交換手段へ伝熱する。熱電気変換手段の低温側面は熱交換手段へ伝熱することで冷却されるため、熱電気変換手段は高温側面と低温側面との温度差に応じた電力を発生する。蓄電手段は熱電気変換手段の発生電力を蓄電する。蓄放電制御手段はこの蓄電手段の蓄電が所定値に達すると放電させ熱媒強制循環手段を駆動する。そして熱媒強制循環手段は駆動して熱媒を熱交換手段へ搬送し、伝わった燃焼手段の熱を熱媒と熱交換させる。さらに熱媒は放熱手段に循環し放熱して熱媒強制循環手段に戻り、熱搬送ができる。燃焼手段は放電することで蓄電が徐々に減少し、やがて放電電力が熱媒強制循環手段の駆動電力以下まで低下すると、蓄放電制御手段は放電を停止させて再び、熱電気変換手段の発生電力を蓄電させ、以降この動作を繰り返して運転が行われる。そして、蓄電手段が熱電気変換手段の発生電力を蓄電し、蓄放電制御手段がこの蓄電手段の蓄電が所定値に達すると放電させ熱媒強制循環手段を駆動するため、熱媒強制循環手段の駆動電力相当の電力を常時、発電する必要がなく、熱電気変換手段は少量、小型でよい。また、燃焼手段の燃焼熱量が変動し、発生電力が少ない方向に変動しても熱媒強制循環手段を駆動することができる。さらに熱電気変換手段は燃焼手段の燃焼熱の大部分を高温側面に受熱し、低温側面から熱交換手段へ伝熱して熱媒を加熱すると同時に発電するため、従来のようにバーナの熱量の大部分が直接、熱交換器を加熱して温水に熱交換し、低い割合の熱量が熱発電素子を加熱する構成に比べ、発生電力が小さいためポンプが駆動できないとか、循環流量が不足することもなく、確実に熱媒強制循環手段を駆動できる。位置の制約から循環水路とは別途分岐したバイパス送水路を設けることもなく、構成が簡単になり、大きく発電するだけの熱電気変換手段を取り付けられ、前述同様に確実に熱媒強制循環手段を駆動できる。
【００１３】
また、熱電気変換素手段の発生電力を蓄わえ所定値に達する迄の間は電池の電力を通電させて熱媒強制循環手段を駆動し、熱電気変換素手段の発生電力を蓄電し、蓄電手段の蓄電が所定値に達すると電池の電力の通電を停止し、蓄わえた熱電気変換素手段の発生電力を放電させて熱媒強制循環手段を駆動するように制御する蓄放電制御手段を有するものである。
【００１４】
そして、燃焼手段を燃焼させると熱電気変換手段は高温側面に受熱し電力を発生するが、蓄電手段がこの発生電力を蓄電し、所定値に達する迄の間は電池の電力を通電させて熱媒強制循環手段を駆動させ、蓄電手段の蓄電が所定値に達すると電池の電力の通電を停止し、蓄わえた熱電気変換素手段の発生電力を放電させて熱媒強制循環手段を駆動するように蓄放電制御手段が制御する。熱媒強制循環手段は熱媒を熱交換手段へ搬送し、伝わった燃焼手段の熱を熱媒と熱交換させ、次に放熱手段に循環して放熱させ、さらに熱媒強制循環手段に戻り、熱搬送が行われる。蓄電手段は放電することで蓄電が徐々に減少し、やがて放電電力が熱媒強制循環手段の駆動電力以下まで低下すると、蓄放電制御手段は放電を停止させて再び、熱電気変換手段の発生電力を蓄電させ、電池の電力を通電させて熱媒強制循環手段を駆動する。以降この動作を繰り返して運転が行われる。そして、蓄電手段が発生電力を蓄電し、所定値に達する迄の間は電池の電力を通電させて熱媒強制循環手段を駆動させ、蓄電手段の蓄電が所定値に達すると電池の電力の通電を停止し、蓄わえた熱電気変換素手段の発生電力を放電させるため、熱媒強制循環手段の駆動電力相当の電力を常時、発電する必要がなく、熱電気変換手段は少量、小型でよい。また、燃焼手段の燃焼熱量が変動し、発生電力が少ない方向に変動しても熱媒強制循環手段を駆動することができる。そして、運転開始から即時に電池により熱媒強制循環手段を駆動することができ、効率よく熱搬送が行われる。
【００１５】
また、熱電気変換素手段の発生電力が所定値に達する迄の間は電池の電力を通電させて、熱電気変換素手段の発生電力と電池の電力の併用で熱媒強制循環手段を駆動し、熱電気変換素手段の発生電力が所定値に達すると電池の電力の通電を停止して、熱電気変換素手段の発生電力単独で放電させて熱媒強制循環手段を駆動するように制御する蓄放電制御手段を有するものである。
【００１６】
そして、燃焼手段を燃焼させると熱電気変換手段は高温側面に受熱し電力を発生するが、所定値に達する迄の間は熱電気変換素手段の発生電力と電池の電力の併用で熱媒強制循環手段を駆動し、熱電気変換素手段の発生電力が所定値に達すると電池の電力の通電を停止して、熱電気変換素手段の発生電力単独で放電させて熱媒強制循環手段を駆動するように蓄放電制御手段が制御する。熱媒強制循環手段は熱媒を熱交換手段へ搬送し、伝わった燃焼手段の熱を熱媒と熱交換させ、次に放熱手段に循環して放熱させ、さらに熱媒強制循環手段に戻り、熱搬送が行われる。熱電気変換手段の発生電力が低下して所定値以下になると、再び熱電気変換素手段の発生電力と電池の電力の併用で熱媒強制循環手段を駆動するように制御される。以降この動作を繰り返して運転が行われる。そして、
熱電気変換素手段の発生電力が所定値に達する迄の間は熱電気変換素手段の発生電力と電池の電力の併用で熱媒強制循環手段を駆動し、熱電気変換素手段の発生電力が所定値に達すると、熱電気変換素手段の発生電力単独で放電させて熱媒強制循環手段を駆動するため、熱媒強制循環手段の駆動電力相当の電力を常時、発電する必要がなく、熱電気変換手段は少量、小型でよい。また、燃焼手段の燃焼量が変動し、発生電力が少ない方向に変動しても熱媒強制循環手段を駆動することができる。そして、運転開始から即時に電池により熱媒強制循環手段を駆動することができ、効率よく熱搬送が行われる。
【００１７】
また、熱媒強制循環手段への通電回路に昇圧手段を設け、熱電気変換素手段の発生電力の電圧よりも高い駆動電圧を必要とする熱媒強制循環手段に対し、駆動電圧以上に昇圧することで駆動を可能とする蓄放電制御手段を有するものである。
【００１８】
そして、燃焼手段を燃焼させると熱電気変換手段は高温側面に受熱し電力を発生するが、蓄電手段がこの発生電力を蓄電し、所定値に達すると蓄わえた発生電力を昇圧手段に放電させる。もしくは熱電気変換手段の発生電力とか電池の電力を直接に昇圧手段に通電する。昇圧手段はこれらの電力を昇圧し熱電気変換素手段の発生電力の電圧もしくは電池の電圧よりも高い駆動電力を必要とする熱媒強制循環手段に対し、駆動電圧以上に昇圧することで駆動を可能とする。熱媒強制循環手段は熱媒を熱交換手段へ搬送し、伝わった燃焼手段の熱を熱媒と熱交換させ、次に放熱手段に循環して放熱させ、さらに熱媒強制循環手段に戻り、熱搬送が行われる。そして、一般的には熱電気変換手段の発生電圧は数ボルト以下であるが熱媒強制循環手段の駆動電圧より低くても駆動できる。
【００１９】
【実施例】
以下、本発明の実施例について図面を用いて説明する。
【００２０】
（実施例１）
図１は本発明の実施例１の熱搬送装置の断面図、図２は本発明の実施例１の熱搬送装置の運転シーケンス図である。
【００２１】
図において、１は熱搬送装置本体、２は燃焼手段、３は熱交換手段であり、燃焼手段２の熱を受熱し、その熱を熱媒と熱交換する。４は熱媒強制循環手段であり、熱媒を搬送する。６はガスボンベであり燃焼手段２のエネルギー源としてガスを供給する。７は装置の運転操作を行う操作部である。８は放熱手段であり、一端を熱媒強制循環手段４に接続し、他端を熱交換手段３に接続して熱交換手段３で熱交換した熱媒を循環させて放熱する。２０は熱電気変換手段であり、燃焼手段２の熱を高温側面２１に受熱し、その熱を低温側面２２から熱交換手段３へ伝熱することで冷却され、高温側面２１と低温側面２２との温度差に応じた電力を発生する。２３は蓄電手段２３であり、熱電気変換手段２０の発生電力を蓄電する。２４は蓄放電制御手段であり、蓄電手段２３の蓄電が所定値に達すると放電させ熱媒強制循環手段４を駆動するものである。
【００２２】
この構成における動作，作用について説明する。燃焼手段２を燃焼させると、この燃焼手段２の燃焼熱を熱電気変換手段２０は高温側面２１に受熱し高温になる。さらに熱は熱交換手段３へ伝熱する。熱電気変換手段２０は高温側面２１と低温側面２２との温度差に応じた電力を発生する。蓄電手段２３は熱電気変換手段２０の発生電力を蓄電する。蓄放電制御手段２４はこの蓄電手段２３の蓄電が所定値に達すると放電させ熱媒強制循環手段４を駆動する。そして熱媒強制循環手段４は駆動して熱媒を熱交換手段３へ搬送し、伝わった燃焼手段２の熱を熱媒と熱交換させる。さらに熱媒は放熱手段８に循環し放熱して熱媒強制循環手段４に戻り、熱搬送ができる。燃焼手段２は放電することで蓄電が徐々に減少し、やがて放電電力が熱媒強制循環手段４の駆動電力以下まで低下すると、蓄放電制御手段２４は放電を停止させて再び、熱電気変換手段２０の発生電力を蓄電させ、以降この動作を繰り返して運転が行われる。
【００２３】
さらに、蓄電手段２３が熱電気変換手段２０の発生電力を蓄電し、蓄放電制御手段２４がこの蓄電手段２３の蓄電が所定値に達すると放電させ熱媒強制循環手段４を駆動するため、熱媒強制循環手段４の駆動電力相当の電力を常時、発電する必要がなく、熱電気変換手段２０は少量、小型でよい。また、燃焼手段２の燃焼熱量が変動し、発生電力が少ない方向に変動しても熱媒強制循環手段４を駆動することができる。
【００２４】
（実施例２）
図３は本発明の実施例２の熱搬送装置の断面図である。
【００２５】
実施例１と異なる点は、燃焼手段２の熱を高温側面２１に受熱し、その熱を低温側面２２から熱交換手段３へ伝熱することで冷却され、高温側面２１と低温側面２２との温度差に応じた電力を発生する熱電気変換手段２０と、この熱電気変換素手段２０の低温側面２２から受熱し、熱媒に熱交換する熱交換手段３と、前記熱電気変換手段２０の発生電力により駆動して熱媒を前記熱交換手段３へ搬送し、熱電気変換手段２０を介して伝わった燃焼手段２の熱を熱媒と熱交換させる熱媒強制循環手段４を設けたところである。
【００２６】
なお実施例１と同一符号のものは同一構造を有し、説明は省略する。
次に動作，作用について説明する。燃焼手段２を燃焼させると熱電気変換手段２０が高温側面２１に受熱し高温になる。さらに熱は熱電気変換手段２０の高温側面２１から低温側面２２へ伝わり、熱交換手段３へ伝熱する。熱電気変換手段２０の低温側面２２は熱交換手段３へ伝熱することで冷却されるため、熱電気変換手段２０は高温側面２１と低温側面２２との温度差に応じた電力を発生する。蓄電手段２３は熱電気変換手段２０の発生電力を蓄電する。蓄放電制御手段２４はこの蓄電手段２３の蓄電が所定値に達すると放電させ熱媒強制循環手段４を駆動する。そして熱媒強制循環手段４は駆動して熱媒を熱交換手段３へ搬送し、伝わった燃焼手段２の熱を熱媒と熱交換させる。さらに熱媒は放熱手段８に循環し放熱して熱媒強制循環手段４に戻り、熱搬送ができる。蓄電手段１３が放電することで蓄電が徐々に減少し、やがて放電電力が熱媒強制循環手段４の駆動電力以下まで低下すると、蓄放電制御手段２４は放電を停止させて再び、熱電気変換手段２０の発生電力を蓄電させ、以降この動作を繰り返して運転が行われる。そして、蓄電手段２３が熱電気変換手段２０の発生電力を蓄電し、蓄放電制御手段２４がこの蓄電手段２３の蓄電が所定値に達すると放電させ熱媒強制循環手段４を駆動するため、熱媒強制循環手段４の駆動電力相当の電力を常時、発電する必要がなく、熱電気変換手段２０は少量、小型でよい。また、燃焼手段２の燃焼熱量が変動し、発生電力が少ない方向に変動しても熱媒強制循環手段４を駆動することができる。さらに熱電気変換手段２０は燃焼手段２の燃焼熱の大部分を高温側面２１に受熱し、低温側面２２から熱交換手段３へ伝熱して熱媒を加熱すると同時に発電するため、従来のようにバーナ１６の熱量の大部分が直接、熱交換器１２を加熱して温水に熱交換し、低い割合の熱量が熱発電素子１４を加熱する構成に比べ、発生電力が小さいためポンプ１３が駆動できないとか、循環流量が不足することもなく、確実に熱媒強制循環手段４を駆動できる。位置の制約から循環水路１０とは別途分岐したバイパス送水路１８を設けることもなく、構成が簡単になり、大きく発電するだけの熱電気変換手段２０を取り付けられ、前述同様に確実に熱媒強制循環手段４を駆動できる。
【００２７】
（実施例３）
図４は本発明の実施例３の熱搬送装置の断面図、図５は本発明の実施例３の熱搬送装置の運転シーケンス図である。
【００２８】
実施例１と異なる点は、熱電気変換素手段２０の発生電力を蓄わえ所定値に達する迄の間は電池５の電力を通電させて熱媒強制循環手段４を駆動し、熱電気変換素手段２０の発生電力を蓄電し、蓄電手段２３の蓄電が所定値に達すると電池５の電力の通電を停止し、蓄わえた熱電気変換素手段２０の発生電力を放電させて熱媒強制循環手段４を駆動するように制御する蓄放電制御手段２４を設けたところである。
【００２９】
なお、実施例１と同一符号のものは同一構造を有し、説明は省略する。
次に動作，作用について説明する。燃焼手段２を燃焼させると熱電気変換手段２０は高温側面２１に受熱し電力を発生するが、蓄電手段２３がこの発生電力を蓄電し、所定値に達する迄の間は電池５の電力を通電させて熱媒強制循環手段４を駆動させ、蓄電手段２３の蓄電が所定値に達すると電池５の電力の通電を停止し、蓄わえた熱電気変換素手段２０の発生電力を放電させて熱媒強制循環手段４を駆動するように蓄放電制御手段２４が制御する。熱媒強制循環手段４は熱媒を熱交換手段３へ搬送し、伝わった燃焼手段２の熱を熱媒と熱交換させ、次に放熱手段８に循環して放熱させ、さらに熱媒強制循環手段４に戻り、熱搬送が行われる。蓄電手段２３は放電することで蓄電が徐々に減少し、やがて放電電力が熱媒強制循環手段４の駆動電力以下まで低下すると、蓄放電制御手段２４は放電を停止させて再び、熱電気変換手段２０の発生電力を蓄電させ、電池５の電力を通電させて熱媒強制循環手段４を駆動する。以降この動作を繰り返して運転が行われる。そして、
蓄電手段２３が発生電力を蓄電し、所定値に達する迄の間は電池５の電力を通電させて熱媒強制循環手段４を駆動させ、蓄電手段２３の蓄電が所定値に達すると電池５の電力の通電力を停止し、蓄わえた熱電気変換素手段２０の発生電力を放電させるため、熱媒強制循環手段４の駆動電力相当の電力を常時、発電する必要がなく、熱電気変換手段２０は少量、小型でよい。また、燃焼手段２の燃焼熱量が変動し、発生電力が少ない方向に変動しても熱媒強制循環手段４を駆動することができる。そして、運転開始から即時に電池５により熱媒強制循環手段４を駆動することができ、効率よく熱搬送が行われる。従来のように電池５のみで熱媒強制循環手段４を駆動する場合に比べ、電池交換５の交換頻度と手間が減少し、電池５の費用も軽減して経済的である。運転開始から即時に電池５により熱媒強制循環手段４を駆動することができ、効率よく熱搬送が行われる。
【００３０】
（実施例４）
図６は本発明の実施例４の熱搬送装置の運転シーケンス図である。
【００３１】
実施例３と異なる点は、熱電気変換素手段２０の発生電力が所定値に達する迄の間は電池５の電力を通電させて、熱電気変換素手段２０の発生電力と電池５の電力の併用で熱媒強制循環手段４を駆動し、熱電気変換素手段２０の発生電力が所定値に達すると電池５の電力の通電を停止して、熱電気変換素手段２０の発生電力単独で放電させて熱媒強制循環手段４を駆動するように制御する蓄放電制御手段２４を設けたところである。
【００３２】
なお実施例１と同一符号のものは同一構造を有し、説明は省略する。
次に動作，作用について説明する。燃焼手段２を燃焼させると熱電気変換手段２０は高温側面２１に受熱し電力を発生するが、所定値に達する迄の間は熱電気変換素手段２０の発生電力と電池５の電力の併用で熱媒強制循環手段４を駆動し、熱電気変換素手段２０の発生電力が所定値に達すると電池５の電力の通電を停止して、熱電気変換素手段２０の発生電力単独で放電させて熱媒強制循環手段４を駆動するように蓄放電制御手段２４が制御する。熱媒強制循環手段４は熱媒を熱交換手段３へ搬送し、伝わった燃焼手段２の熱を熱媒と熱交換させ、次に放熱手段８に循環して放熱させ、さらに熱媒強制循環手段４に戻り、熱搬送が行われる。熱電気変換手段２０の発生電力が低下して所定値以下になると、再び熱電気変換素手段２０の発生電力と電池５の電力の併用で熱媒強制循環手段４を駆動するように制御される。以降この動作を繰り返して運転が行われる。そして、熱電気変換素手段２０の発生電力が所定値に達する迄の間は熱電気変換素手段２０の発生電力と電池５の電力の併用で熱媒強制循環手段４を駆動し、熱電気変換素手段２０の発生電力が所定値に達すると、熱電気変換素手段２０の発生電力単独で放電させて熱媒強制循環手段４を駆動するため、熱媒強制循環手段４の駆動電力相当の電力を常時、発電する必要がなく、熱電気変換手段２０は少量、小型でよい。また、燃焼手段２の燃焼熱量が変動し、発生電力が少ない方向に変動しても熱媒強制循環手段４を駆動することができる。そして、運転開始から即時に電池５により熱媒強制循環手段４を駆動することができ、効率よく熱搬送が行われる。従来のように電池５のみで熱媒強制循環手段４を駆動する場合に比べ、電池交換５の頻度と手間が減少し、電池５の費用も軽減して経済的である。運転開始から即時に電池５により熱媒強制循環手段４を駆動することができ、効率よく熱搬送が行われる。
【００３３】
（実施例５）
図７は本発明の実施例５の熱搬送装置の断面図である。
【００３４】
実施例１と異なる点は、また、熱媒強制循環手段４への通電回路に昇圧手段２５を設け、熱電気変換素手段２０の発生電力の電圧よりも高い駆動電圧を必要とする熱媒強制循環手段４に対し、駆動電圧以上に昇圧することで駆動を可能とする蓄放電制御手段２４を設けたところである。
【００３５】
なお実施例１と同一符号のものは同一構造を有し、説明は省略する。
次に動作，作用について説明する。燃焼手段２を燃焼させると熱電気変換手段２０は高温側面２１に受熱し電力を発生するが、蓄電手段２３がこの発生電力を蓄電し、所定値に達すると蓄わえた発生電力を昇圧手段２５に放電させる。もしくは熱電気変換手段２０の発生電力とか電池５の電力を直接に熱媒強制循環手段４に通電する。昇圧手段２５はこれらの電力を昇圧し熱電気変換素手段２０の発生電力の電圧もしくは電池５の電圧よりも高い駆動電圧を必要とする熱媒強制循環手段４に対し、駆動電圧以上に昇圧することで駆動を可能とする。熱媒強制循環手段４は熱媒を熱交換手段３へ搬送し、伝わった燃焼手段２の熱を熱媒と熱交換させ、次に放熱手段８に循環して放熱させ、さらに熱媒強制循環手段４に戻り、熱搬送が行われる。そして、一般的には熱電気変換手段２０の発生電力は数ボルト以下であるが熱媒強制循環手段４の駆動電圧より低くても駆動できる。
【００３６】
【発明の効果】
以上のように本発明によれば下記の効果が得られる。
【００３７】
（１）蓄電手段が熱電気変換手段の発生電力を蓄電し、蓄放電制御手段がこの蓄電手段の蓄電が所定値に達すると放電させ熱媒強制循環手段を駆動するため、熱媒強制循環手段の駆動電力相当の電力を常時、発電する必要がなく、熱電気変換手段は少量、小型でよいという有利な効果を有する。また、燃焼手段の燃焼熱量が変動し、発生電力が少ない方向に変動しても熱媒強制循環手段を駆動することができるという有利な効果を有する。
【００３８】
（２）蓄電手段が熱電気変換手段の発生電力を蓄電し、蓄放電制御手段がこの蓄電手段の蓄電が所定値に達すると放電させ熱媒強制循環手段を駆動するため、熱媒強制循環手段の駆動電力相当の電力を常時、発電する必要がなく、熱電気変換手段は少量、小型でよいという有利な効果を有する。また、燃焼手段の燃焼熱量が変動し、発生電力が少ない方向に変動しても熱媒強制循環手段を駆動することができるという有利な効果を有する。さらに熱電気変換手段は燃焼手段の燃焼熱の大部分を高温側面に受熱し、低温側面から熱交換手段へ伝熱して熱媒を加熱すると同時に発電するため、従来のようにバーナの熱量の大部分が直接、熱交換器を加熱して温水に熱交換し、低い割合の熱量が熱発電素子を加熱する構成に比べ、発生電力が小さいためポンプが駆動できないとか、循環流量が不足することもなく、確実に熱媒強制循環手段を駆動できる。位置の制約から循環水路とは別途分岐したバイパス送水路を設けることもなく、構成が簡単になり、大きく発電するだけの熱電気変換手段を取り付けられ、前述同様に確実に熱媒強制循環手段を駆動できるという有利な効果を有する。
【００３９】
（３）蓄電手段が発生電力を蓄電し、所定値に達する迄の間は電池の電力を通電させて熱媒強制循環手段を駆動させ、蓄電手段の蓄電が所定値に達すると電池の電力の通電を停止し、蓄わえた熱電気変換素手段の発生電力を放電させるため、熱媒強制循環手段の駆動電力相当の電力を常時、発電する必要がなく、熱電気変換手段は少量、小型でよいという有利な効果を有する。また、燃焼手段の燃焼熱量が変動し、発生電力が少ない方向に変動しても熱媒強制循環手段を駆動することができるという有利な効果を有する。そして、運転開始から即時に電池により熱媒強制循環手段を駆動することができ、効率よく熱搬送が行われるという有利な効果を有する。従来のように電池のみで熱媒強制循環手段を駆動する場合に比べ、電池交換の頻度と手間が減少し、電池の費用も軽減して経済的である。運転開始から即時に電池により熱媒強制循環手段を駆動することができ、効率よく熱搬送が行われるという有利な効果を有する。
【００４０】
（４）熱電気変換素手段の発生電力が所定値に達する迄の間は熱電気変換素手段の発生電力と電池の電力の併用で熱媒強制循環手段を駆動し、熱電気変換素手段の発生電力が所定値に達すると、熱電気変換素手段の発生電力単独で放電させて熱媒強制循環手段を駆動するため、熱媒強制循環手段の駆動電力相当の電力を常時、発電する必要がなく、熱電気変換手段は少量、小型でよいという有利な効果を有する。また、燃焼手段の燃焼熱量が変動し、発生電力が少ない方向に変動しても熱媒強制循環手段を駆動することができるという有利な効果を有する。そして、運転開始から即時に電池により熱媒強制循環手段を駆動することができ、効率よく熱搬送が行われるという有利な効果を有する。従来のように電池のみで熱媒強制循環手段を駆動する場合に比べ、電池交換の頻度と手間が減少し、電池の費用も軽減して経済的であるという有利な効果を有する。運転開始から即時に電池により熱媒強制循環手段を駆動することができ、効率よく熱搬送が行われるという有利な効果を有する。
【００４１】
（５）熱媒強制循環手段への通電回路に昇圧手段を設け、熱電気変換素手段の発生電力の電圧よりも高い駆動電圧を必要とする熱媒強制循環手段に対し、駆動電圧以上に昇圧することで駆動を可能とする。そして、一般的には熱電気変換手段の発生電力は数ボルト以下であるが熱媒強制循環手段の駆動電圧より低くても駆動できるという有利な効果を有する。
【図面の簡単な説明】
【図１】本発明の実施例１の熱搬送装置の断面図
【図２】本発明の実施例１の熱搬送装置の運転シーケンス図
【図３】本発明の実施例２の熱搬送装置の断面図
【図４】本発明の実施例３の熱搬送装置の断面図
【図５】本発明の実施例３の熱搬送装置の運転シーケンス図
【図６】本発明の実施例４の熱搬送装置の運転シーケンス図
【図７】本発明の実施例５の熱搬送装置の断面図
【図８】従来の熱搬送装置の断面図
【符号の説明】
１  熱搬送装置本体
２  燃焼手段
３  熱交換手段
４  熱媒強制循環手段
５  電池
７  操作部
８  放熱手段
２０  熱電気変換手段
２１  高温側面
２２  低温側面
２３  蓄電手段
２４  蓄放電制御手段
２５  昇圧手段
【図１】
0003997582.tif 000002
【図２】
0003997582.tif 000003
【図３】
0003997582.tif 000004
【図４】
0003997582.tif 000005
【図５】
0003997582.tif 000006
【図６】
0003997582.tif 000007
【図７】
0003997582.tif 000008
【図８】
0003997582.tif 000009